(57)【要約】      （修正有）【課題】信号検知の安定性を拡大させられる探知モジュールを有する布体を提供する。【解決手段】探知モジュールを有する布体は、少なくとも１個の探知モジュール１０、面層２０、布層３０の組み合わせ設計である。探知モジュール１０には接触面１１を設置する。面層２０は少なくとも１個の探知モジュール１０と相互に結合し、且つ探知モジュール１０は面層２０下方に位置し、面層２０には少なくとも１個の窓口２１を設置し、これにより探知モジュール１０の接触面１１は面層２０の窓口２１外に露出する。布層３０は面層２０と相互に結合し、布層３０と面層２０との間には空隙を形成し、且つ探知モジュール１０は面層２０と布層３０との間に位置する。これにより、面層２０に結合する探知モジュール１０はズレ難いため、探知モジュール１０は身体表面と随時接触状態を保持し、信号検知の安定性を拡大させることができる。【選択図】図１
0003200233.tif 000002
【実用新案登録請求の範囲】
【請求項１】
探知モジュールを有する布体であって、少なくとも１個の探知モジュール、面層、布層を有し、
前記探知モジュールには、接触面を設置し、
前記面層は、前記少なくとも１個の探知モジュールと相互に結合し、且つ前記探知モジュールは、前記面層下方に位置し、前記面層には、少なくとも１個の窓口を設置し、これにより前記探知モジュールの接触面は、前記面層の窓口外に露出し、
前記布層は、前記面層と相互に結合し、前記布層と前記面層との間には、空隙を形成し、且つ前記探知モジュールは、前記面層と前記布層との間に位置することを特徴とする探知モジュールを有する布体。
【請求項２】
前記探知モジュール下方には、保護層をさらに有し、
前記保護層の辺縁は、前記面層と相互に結合し、且つ前記保護層は、前記探知モジュールと前記布層との間に位置することを特徴とする請求項１に記載の探知モジュールを有する布体。
【請求項３】
前記保護層は、布、或いは絶縁シートであることを特徴とする請求項２に記載の探知モジュールを有する布体。
【請求項４】
前記布層の辺縁には、少なくとも１個の裁縫線を設置し、
前記布層の裁縫線は、前記面層の辺縁と相互に結合されることを特徴とする請求項１に記載の探知モジュールを有する布体。
【請求項５】
前記結合は、縫合方式、超音波方式、熱融合方式、或いは接着剤方式の内の任意の一種であることを特徴とする請求項１或いは２或いは４に記載の探知モジュールを有する布体。
【請求項６】
前記布層には、信号伝送接点をさらに設置し、
前記信号伝送接点は、前記少なくとも１個の探知モジュールと相互に連接することを特徴とする請求項１に記載の探知モジュールを有する布体。
【請求項７】
前記探知モジュールは、身体表層の生理信号を測定できる電極片をさらに設置し、
前記生理信号は、体温、心拍、脈拍の内の任意の一種であることを特徴とする請求項１或いは２に記載の探知モジュールを有する布体。
【請求項８】
前記探知モジュールは、傾斜感知チップ及びマイクロコントローラーをさらに設置し、
前記マイクロコントローラーは、前記傾斜感知チップと連接し、前記マイクロコントローラーを通して、前記傾斜感知チップの変化を感知することを特徴とする請求項１或いは２に記載の探知モジュールを有する布体。
【請求項９】
前記面層は、布、織物、シートなどの内の任意の一種であることを特徴とする請求項１或いは２或いは４に記載の探知モジュールを有する布体。
【請求項１０】
前記布層は、衣服、ズボン、手袋、下着、ベスト、ブラジャー、ベアトップなどの内の任意の一種にさらに縫製されることを特徴とする請求項１或いは６に記載の探知モジュールを有する布体。
【考案の詳細な説明】
【技術分野】
【０００１】
本考案は探知モジュールを有する布体に関し、少なくとも１個の探知モジュール、面層、布層の組合せ設計を通して、探知モジュールは身体表面と随時接触状態を保持し、これにより検知信号の安定性を高め、生理検知衣、傾斜検知衣、或いは類似の構造に適用できる探知モジュールを有する布体に関する。
【背景技術】
【０００２】
近年科学技術の発達により、検査測定器と衣服との結合が研究されるようになっている。
これにより、身体の生理状況を便利に検査及び記録でき、在宅健康自主管理或いは予防医学に運用することができる。
現在の検査測定器の大半は、皮膚表層に近い衣服上に設置されている。
これにより、検査測定器は、皮膚表層と接触し、人体の生理信号の検知を行うことができる。
【０００３】
しかし、人体の皮膚表層には、毛穴があり、毛穴は、身体の温度の発散と調節のために用いられる。
皮膚表層近くに検査測定器を設置する衣服が、身体に密着する衣服であれば、良好な吸汗速乾機能を備えていなければならない。
そうでなければ、使用者は一定時間の着用後には、不快を感じて脱ぎたくなってしまい、長時間着用しての検査測定器に対応した生理信号の測定は難しい。
【０００４】
また、それが緩めの衣服であれば、衣服と皮膚表層間には距離が生まれ、身体の動作により、検査測定器と接触すべき皮膚表層との位置にはズレが生じる可能性がある。
これにより、検査測定器が生理信号を測定する際には、皮膚表層と接触状態を随時維持することができなくなり、生理信号の測定において、信号が現れたり消えたりする信号断続の現象が発生する。
これでは、在宅で健康管理を自主的に行っている人、或いは予防医療の観点による測定においては、極めて不便である。
且つ、測定されたデータがねじれを生じ、正しい状態を完全に表すことができなくなる。
【考案の概要】
【考案が解決しようとする課題】
【０００５】
本考案の主要な目的は、一種の探知モジュールを有する布体を提供することにあり、該探知モジュールを有する布体は少なくとも１個の探知モジュール、面層、及び布層の組み合わせ設計である。
該探知モジュールには、接触面を設置する。
該面層は、該少なくとも１個の探知モジュールと相互に結合し、且つ該探知モジュールは、該面層下方に位置し、該面層には、少なくとも１個の窓口を設置し、これにより該探知モジュールの接触面は、該面層の窓口外に露出する。
該布層は、該面層と相互に結合し、該布層と該面層との間には、空隙を形成し、且つ該探知モジュールは、該面層と該布層との間に位置する。
該面層の窓口外に露出する探知モジュールの接触面により、身体表面上に密着させる。
該布層が動いて移動しても、該探知モジュールの接触面は身体表面に密着する摩擦力が大きいため、該布層が引っ張られても、該探知モジュールの接触面は、身体表面との密着性が高いため、身体表面との接触効果を高めることができ、且つ、これにより該面層に結合する探知モジュールは、ズレ難いため、該探知モジュールは、身体表面と随時接触状態を保持する。
こうして、信号検知の安定性を拡大させ、全体の実用性を高めことができる。
【０００６】
本考案の次の目的は、一種の探知モジュールを有する布体を提供することにあり、探知モジュールを有する布体はさらに、該布層の辺縁に、少なくとも１個の裁縫線を設置する。
該布層の裁縫線は、該面層の辺縁と相互に結合し、且つ該結合は、縫合方式、超音波方式、熱融合方式、或いは接着剤方式の内の任意の一種を採用する。
該面層の窓口外に露出する探知モジュールの接触面により、身体表面上に密着させる。
該布層が動いて移動しても、該探知モジュールの接触面は身体表面に密着する摩擦力が大きいため、該布層が引っ張られても、該探知モジュールの接触面は、身体表面との密着性が高いため、身体表面との接触効果を高めることができ、こうして全体的な密着性を高めることができる。
【０００７】
本考案のもう一つの目的は、一種の探知モジュールを有する布体を提供することにあり、該探知モジュールを有する布体において、該探知モジュールは、該面層と該布層との間に位置し、且つ該探知モジュールの接触面は、該面層の窓口外に露出し、該身体表面と接触状態を保持する。
該探知モジュールには、身体表層の生理信号を検知する電極片を設置する。
該生理信号は、体温、心拍、脈拍の内の任意の一種である。
該探知モジュールには、傾斜感知チップ及びマイクロコントローラーを設置する。
該マイクロコントローラーは、該傾斜感知チップと連接し、該マイクロコントローラーにより、該傾斜感知チップの変化を感知し、これにより該探知モジュールは、身体の生理信号の変化を検知できる他、身体傾斜角度の変化も検知でき、眩暈或いは転倒の現象の有無を検知することができる。
こうして、全体的な安全性を高めることができる。
【課題を解決するための手段】
【０００８】
本考案による探知モジュールを有する布体は、少なくとも１個の探知モジュール、面層、布層を有する。
該探知モジュールには、接触面を設置する。
該面層は、該少なくとも１個の探知モジュールと相互に結合し、且つ該探知モジュールは、該面層下方に位置し、該面層には、少なくとも１個の窓口を設置し、これにより該探知モジュールの接触面は、該面層の窓口外に露出する。
該布層は、該面層と相互に結合し、該布層と該面層との間には、空隙を形成し、且つ該探知モジュールは、該面層と該布層との間に位置する。
【考案の効果】
【０００９】
本考案の実施形態を応用する特徴の一つは、ズレにくく、探知モジュールは身体表面と随時接触状態を保持できる布体で、これにより使用者は簡単に組み立てを操作でき、高い利便性を提供できる。
【図面の簡単な説明】
【００１０】
【図１】本考案第一実施形態の立体外観模式図である。
【図２】本考案第一実施形態のパーツ分解模式図である。
【図３】本考案第一実施形態の局部拡大模式図である。
【図４】本考案第一実施形態のＡ-Ａ線方向に沿ってカットされた断面図である。
【図５】本考案第一実施形態の別種の実施位置の模式図である。
【図６】本考案第二実施形態の立体外観模式図である。
【図７】本考案第二実施形態のパーツ分解模式図である。
【図８】本考案第二実施形態の局部拡大模式図である。
【図９】本考案第二実施形態のＡ-Ａ線方向に沿ってカットされた断面図である。
【考案を実施するための形態】
【００１１】
図１乃至図９に示すとおり、本考案の一実施形態による探知モジュールを有する布体は、身体表層の生理信号或いは身体の傾斜角度の変化の検知に運用し、且つこれにより探知モジュール１０にはズレが生じにくくなり、身体表面と随時接触状態を保持でき、信号検知の安定性を高めることができる。
【００１２】
本考案の探知モジュールを有する布体の第一実施形態（図１乃至図４参照）は、少なくとも１個の探知モジュール１０、面層２０、及び布層３０を有する（図２参照）。
探知モジュール１０には、接触面１１を設置する。
探知モジュール１０の接触面１１は、身体表面に接触し、身体表層の生理信号を測定する。
探知モジュール１０は、面層２０下方に位置する。
【００１３】
面層２０は、布、織物、シートなどの内の任意の一種（本考案の実施形態は布を採用する）で、シートは、プラスチック材質のシート、金属材質のシート、カーボン材質のシート、或いは他の材質のシートである。
且つ、探知モジュール１０は、面層２０と相互に結合し、その結合は、縫合方式、超音波方式、熱融合方式、或いは接着剤方式の内の任意の一種、或いは他の接合方式とすることができる（本考案の実施形態では、縫合方式を採用する）。
【００１４】
面層２０には、少なくとも１個の窓口２１を設置する。
且つ、窓口２１の設置数は、探知モジュール１０に対応する。
２個の探知モジュール１０を設置する際には、面層２０上には、対応する２個の窓口２１を設置し、或いは２個の探知モジュール１０には、それぞれ対応する１個の面層２０を設置し、各対応する面層２０上に、対応する窓口２１を設置する。
探知モジュール１０の接触面１１は、面層２０の窓口２１外に露出（図３参照）し、面層２０の窓口２１外に露出する探知モジュール１０の接触面１１により、身体表面に密着し、接触状態を保持し、こうして検知信号は安定性を有する。
【００１５】
さらに、面層２０は、布層３０と相互に結合し、その結合は縫合方式、超音波方式、熱融合縫合、或いは接着剤方式の内の任意の一種、或いは他の接合方式とすることができる（本考案の実施形態では、縫合方式を採用する）。
布層３０と面層２０との間には、空隙５０を形成し、これにより探知モジュール１０は、面層２０と布層３０との間に位置することができる（図４参照）。
布層３０は、本考案の実施時には、ベスト（或いは他の衣服、ズボン、手袋、下着、ブラジャー、ベアトップの内の任意の一種、或いは類似の物品）に縫製することができる。
これにより、ベストに縫製された布層３０を、人の身体上に着用し、人の身体表面と接触を形成（本考案の図示はすべて、ベストに縫製された布層３０を裏返し図示している）する。
こうして、ベストに縫製した布層３０は、胸部、胸元などの身体表面の特定位置に緊密に接触することができる。
【００１６】
図６乃至図９に示すとおり、本考案探知モジュールを有する布体の第二実施形態は、少なくとも１個の探知モジュール１０、面層２０、布層３０、少なくとも１個の保護層４０を有する（図７参照）。
保護層４０は、探知モジュール１０と布層３０との間に位置し、且つ保護層４０の辺縁は、面層２０と相互に結合する。
その結合は、縫合方式、超音波方式、熱融合方式、或いは接着剤方式の内の任意の一種、或いは他の接合方式とすることができる（本考案の実施形態では、縫合方式を採用する）。
保護層４０は、布、絶縁シート、或いは他の隔絶効果を有する物体（本考案の実施形態は、布により表示する）で、保護層４０は、探知モジュール１０の片側との何らかの接触を効果的に隔絶することができる。
【００１７】
本考案の探知モジュール１０は、保護層４０上に結合できる。
且つ、探知モジュール１０は、保護層４０に結合後、保護層４０の辺縁には、外縁部を延伸する（図示なし）。
保護層４０の外縁部は、面層２０と相互に結合し、且つ上述の結合は、縫合方式、超音波方式、熱融合方式、或いは接着剤方式の内の任意の一種、或いは他の接合方式とすることができる。
【００１８】
内、布とする保護層４０の外縁部は、縫合方式により、面層２０と結合させられ、且つ布とする保護層４０は、柔軟性を有し、不快感を低下させられる。
また、絶縁シートとする保護層４０（図示なし）の外縁部は、超音波方式で面層と結合させられ、且つ絶縁シートとする保護層４０は、防護性を有し、摩擦により発生する静電気の破壊を回避することができる。
【００１９】
上述の探知モジュール１０には、接触面１１を設置する。
探知モジュール１０の接触面１１により、身体表面に接触し、身体表層の生理信号を検知して測定する。
上述の探知モジュール１０は、面層２０下方に位置する。
【００２０】
面層２０は、布、織物、シートなどの内の任意の一種（本考案の実施形態は布を採用する）で、シートは、プラスチック材質のシート、金属材質のシート、カーボン材質のシート、或いは他の材質のシートである。
且つ、探知モジュール１０は、面層２０と相互に結合し、その結合は、縫合方式、超音波方式、熱融合方式、或いは接着剤方式の内の任意の一種、或いは他の接合方式とすることができる（本考案の実施形態では、縫合方式を採用する）。
【００２１】
面層２０には、少なくとも１個の窓口２１を設置する。
且つ、窓口２１の設置数は、探知モジュール１０に対応する。
２個の探知モジュール１０を設置する際には、面層２０上には、対応する２個の窓口２１を設置し、或いは２個の探知モジュール１０には、それぞれ対応する１個の面層２０を設置し、各対応する面層２０上に、対応する窓口２１を設置する。
探知モジュール１０の接触面１１は、面層２０の窓口２１外に露出（図８参照）し、面層２０の窓口２１外に露出する探知モジュール１０の接触面１１により、身体表面に密着し、接触状態を保持し、こうして検知信号は安定性を有する。
【００２２】
さらに、面層２０は、布層３０と相互に結合し、その結合は縫合方式、超音波方式、熱融合縫合、或いは接着剤方式の内の任意の一種、或いは他の接合方式とすることができる（本考案の実施形態では、縫合方式を採用する）。
布層３０と面層２０との間には、空隙５０を形成し、これにより探知モジュール１０は、面層２０と布層３０との間に位置することができる（図９参照）。
布層３０は、本考案の実施時には、ベスト（或いは他の衣服、ズボン、手袋、下着、ブラジャー、ベアトップの内の任意の一種、或いは類似の物品）に縫製することができる。
これにより、ベストに縫製された布層３０を、人の身体上に着用し、人の身体表面と接触を形成（本考案の図示はすべて、ベストに縫製された布層３０を裏返し図示している）する。
こうして、ベストに縫製した布層３０は、胸部、胸元などの身体表面の特定位置に緊密に接触することができる。
【００２３】
本考案探知モジュールを有する布体の第一実施形態、及び第二実施形態において、探知モジュール１０の実施時には、第一実施形態では、身体表層の生理信号を測定できる電極片１０１を設置する（図１、及び図６参照）。
且つ電極片１０１は、複数の非導電繊維糸及び複数の導電繊維糸を織って製造し、或いは電極片１０１は、全体を複数の導電繊維糸を織って製造し、こうして電極片１０１全体は、導電効果を有する。
上述の電極片１０１の複数の導電繊維糸は、織って、導電エリアを形成でき、電極片１０１の導電エリアを、身体皮膚上に密着させることで、生理信号の測定を有利に進めることができる。
生理信号は、体温、心拍、脈拍の内の任意の一種である。
【００２４】
本考案による探知モジュールを有する布体の第一実施形態及び第二実施形態において、探知モジュール１０の実施時には、第二実施形態では、傾斜感知チップ及びマイクロコントローラー（図示なし）を設置し、マイクロコントローラーは、傾斜感知チップと連接し、マイクロコントローラーを通して傾斜感知チップの変化を感知する。
【００２５】
傾斜感知チップは、３軸加速度センサー（Ｔｈｒｅｅ  Ａｘｉｓ  Ｌｏｗ-ｇ  Ｍｉｃｒｏｍａｃｈｉｎｅｄ  Ａｃｃｅｌｅｒｏｍｅｔｅｒ）である。
３軸加速度センサーは、Ｘ、Ｙ、Ｚの３つの軸の傾斜角度と加速度により算出し、マイクロコントローラーにより定時に計測し伝送する。
傾斜角度は、±１．０度、或いは±１．５度、或いは±２．０度以上などにより、眩暈や転倒などの現象の有無を判断する。
マイクロコントローラーは、設定時に測定回数を定量とし測定する。
例えば、３０秒以内の平均測定値を、±１．０度（或いは±１．５度、±２．０度）以上などに設定し、異常傾斜と認定する。
【００２６】
或いは９軸姿勢センサーを採用することもできる。
９軸姿勢センサーは、３軸加速度センサー、３軸地場センサー、３軸ジャイロセンサーを含む。
磁場範囲は、±１．３／１．９／２．５／４．０／４．７／５．０／８．１ガウスである。
加速度範囲は、±２ｇ／±４ｇ／±８ｇで、ジャイロ範囲は±２５０／５００／２０００ｄｐｓである。
上述の範囲値を通して、姿勢に異常がないかどうかをモニターし、範囲値を超えた場合には、異常傾斜と認定する。
且つ、上述の傾斜或いは姿勢変化が設定値を超過すると、マイクロコントローラーは無線信号発信器（図示なし）を通して、信号を直ちに伝送する。
【００２７】
本考案による探知モジュールを有する布体の第一実施形態及び第二実施形態において、布層３０の実施時（図１及び図６参照）には、布層３０上には、信号伝送接点３１を設置する。
信号伝送接点３１は、少なくとも１個の探知モジュール１０と相互に連接する。
これにより、探知モジュール１０が検知測定した生理信号或いは身体傾斜角度の変化を、信号伝送接点３１に伝送する。
信号伝送接点３１には、信号伝送器（図示なし）を組み合わせ、且つ信号伝送器内には、無線伝送モジュールを設置し、これにより生理信号或いは身体傾斜角度の変化を電子デバイス（スマートフォン、スマートタブレットＰＣ、ノートＰＣ、デスクトップＰＣ、医療設備など）、或いはクラウドシステムに無線で伝送することができる。
こうして、その測定結果の理解が便利になり、予防医療を行うことができる。
【００２８】
さらに、本考案による探知モジュールを有する布体の第一実施形態及び第二実施形態において、実施時には、面層２０と布層３０との結合位置は、面層２０を矩形、円形、楕円形、或いは不規則形状などの各種形状に裁断し、布層３０の任意の位置に直接縫合する（図５参照）。
且つ、面層２０を布層３０に縫い付ける時には、面層２０の四辺を縫合し、或いは面層２０の両辺、或いは三辺だけを縫合しても良い。
且つ、面層２０の窓口２１外に露出する探知モジュール１０の接触面１１により、身体表面上に密着させる。
【００２９】
布層３０が動いて移動しても、探知モジュール１０の接触面１１は身体表面に密着する摩擦力が大きいため、布層３０が引っ張られても、探知モジュール１０の接触面１１は、身体表面との密着性が高いため、身体表面との接触効果を高めることができる。
且つ、これにより面層２０に結合する探知モジュール１０は、ズレ難いため、探知モジュール１０は、身体表面と随時接触状態を保持する。
こうして、信号検知の安定性を拡大させ、全体の実用性を高めことができる。
【００３０】
本考案による探知モジュールを有する布体の第一実施形態及び第二実施形態において、布層３０の辺縁には、少なくとも１個の裁縫線３２を設置する。
面層２０と布層３０の別の結合位置は、実施時には、布層３０の辺縁の裁縫線３２上に縫い付ける（図１及び図６参照）。
布層３０をベスト（或いは他の衣服、ズボン、手袋、下着、ブラジャー、ベアトップなどの内の任意の一種或いは類似の物品）に縫う時、ベストに縫製される布層３０の辺縁縫製位置は、裁縫線３２を通して、縫合される必要がある。
こうして、ベストに縫製される布層３０の辺縁裁縫位置には、脱線現象は出現せず、美しい布端を表現することができる。
【００３１】
よって、面層２０を、ベストに縫製された布層３０の、肩部、胸部などの対応する位置に設置することができる。
肩部を例とすると、面層２０の両側辺の幅は、ベストに縫製された布層３０肩部の幅と同じか、それより大きい必要がある。
これにより、面層２０の辺縁は、ベストに縫製された布層３０肩部の辺縁の少なくとも１個の裁縫線３２上に密着する。
さらに、面層２０の両辺縁を、ベストに縫製された布層３０肩部辺縁の裁縫線３２上に縫合し、これにより面層２０は、ベストに縫製された布層３０肩部の位置上を保持することができる。
よって、面層２０の窓口２１外に露出する探知モジュール１０の接触面１１により、身体表面上に密着する。
【００３２】
布層３０が動いて移動しても、探知モジュール１０の接触面１１は身体表面に密着する摩擦力が大きいため、布層３０が引っ張られても、探知モジュール１０の接触面１１は、身体表面との密着性が高いため、身体表面との接触効果を高めることができる。
且つ、これにより面層２０に結合する探知モジュール１０は、ズレ難いため、探知モジュール１０は、身体表面と随時接触状態を保持する。
こうして、信号検知の安定性を拡大させ、全体の実用性を高めことができる。
【００３３】
第一実施形態において面層２０と布層３０との間に設置される探知モジュール１０であっても、第二実施形態において面層２０と保護層４０との間に設置される探知モジュール１０であっても、ズレは生じにくい。
こうして、探知モジュール１０は、身体表面と随時接触状態を保持し、信号検知の安定性を拡大することができる。
【００３４】
前述した本考案の実施形態は本考案を限定するものではなく、よって、本考案により保護される範囲は後述される実用新案登録請求の範囲を基準とする。
【符号の説明】
【００３５】
１０  探知モジュール
１０１  電極片
１１  接触面
２０  面層
２１  窓口
３０  布層
３１  信号伝送接点
３２  裁縫線
４０  保護層
５０  空隙
【図１】
0003200233.tif 000003
【図２】
0003200233.tif 000004
【図３】
0003200233.tif 000005
【図４】
0003200233.tif 000006
【図５】
0003200233.tif 000007
【図６】
0003200233.tif 000008
【図７】
0003200233.tif 000009
【図８】
0003200233.tif 000010
【図９】
0003200233.tif 000011